【手続補正書】
【提出日】令和3年5月14日(2021.5.14)
【手続補正１】
【補正対象書類名】明細書
【補正対象項目名】発明の名称
【補正方法】変更
【補正の内容】
【発明の名称】情報処理システム、アクセス中継装置、その制御方法、及びプログラム
【手続補正２】
【補正対象書類名】明細書
【補正対象項目名】０００１
【補正方法】変更
【補正の内容】
【０００１】
本発明は、情報処理システム、アクセス中継装置、その制御方法、及びプログラムに関する。
【手続補正３】
【補正対象書類名】明細書
【補正対象項目名】００１１
【補正方法】変更
【補正の内容】
【００１１】
そこで、本発明は、電子メールから取得されるアクセス先情報を容易に登録させることが可能な仕組みを提供することを目的とする。
【手続補正４】
【補正対象書類名】明細書
【補正対象項目名】００１２
【補正方法】変更
【補正の内容】
【００１２】
上記課題を解決するための本発明は、電子メールの中継を制御するメール中継装置と、アクセス先情報へのアクセスを制御するアクセス中継装置と、が通信可能に接続された情報処理システムであって、前記電子メールからアクセス先情報を取得する取得手段と、
前記取得手段で取得したアクセス先情報、および当該アクセス先情報のリスクに関する情報を、当該アクセス先情報の登録指示を受け付ける受付部とともに表示する表示制御手段と、を備えることを特徴とする。
【手続補正５】
【補正対象書類名】明細書
【補正対象項目名】００１３
【補正方法】変更
【補正の内容】
【００１３】
本発明によれば、電子メールから取得されるアクセス先情報を容易に登録させることが可能となる効果を奏する。
【手続補正６】
【補正対象書類名】特許請求の範囲
【補正対象項目名】全文
【補正方法】変更
【補正の内容】
【特許請求の範囲】
【請求項１】
電子メールの中継を制御するメール中継装置と、アクセス先情報へのアクセスを制御するアクセス中継装置と、が通信可能に接続された情報処理システムであって、
前記電子メールからアクセス先情報を取得する取得手段と、
前記取得手段で取得したアクセス先情報、および当該アクセス先情報のリスクに関する情報を、当該アクセス先情報の登録指示を受け付ける受付部とともに表示する表示制御手段と、
を備えることを特徴とする情報処理システム。
【請求項２】
前記表示制御手段で表示される前記受付部により登録指示を受け付けたアクセス先情報を、アクセス制御の対象となるアクセス先情報として記憶部に登録させる登録手段と、
を備えること特徴とする請求項１に記載の情報処理システム。
【請求項３】
前記登録手段は、前記受付部で登録指示を受け付けたアクセス先情報を、前記リスクに関する情報と共に前記記憶部に登録させることを特徴とする請求項２に記載の情報処理システム。
【請求項４】
前記表示制御手段は、前記登録手段により登録されていないアクセス先情報を表示することを特徴とする請求項２または３に記載の情報処理システム。
【請求項５】
前記登録手段で登録されたアクセス先情報へのアクセスの要求を受け付けた場合、当該アクセスを行うか否かに関する指示を受け付けるアクセス指示受付手段を備えたことを特徴とする請求項２乃至４のいずれか１項に記載の情報処理システム。
【請求項６】
前記登録手段で登録されたアクセス先情報へのアクセスの要求を受付けた場合、当該アクセス先情報へのアクセスについて過去に前記アクセス指示受付手段によって受け付けた指示内容を通知する通知手段を備えたことを特徴とする請求項５に記載の情報処理システム。
【請求項７】
前記通知手段は、アクセスを行う指示がなされた回数、あるいは、アクセスを行わない指示がなされた回数を通知することを特徴とする請求項６に記載の情報処理システム。
【請求項８】
前記アクセス先情報へのアクセスのリスクに係る情報は、当該アクセス先情報の取得元である電子メールに対する中継制御の内容によって定まることを特徴とする請求項１乃至７のいずれか１項に記載の情報処理システム。
【請求項９】
前記アクセス先情報へのアクセスのリスクの程度を判定する判定手段と、
をさらに備え、
前記表示制御手段は、前記アクセス先情報を、前記判定手段で判定したリスクの程度を含むリスクに関する情報と共に表示することを特徴とする請求項１乃至８のいずれか１項に記載の情報処理システム。
【請求項１０】
前記登録手段は、前記判定手段でリスクの程度を判定したアクセス先情報のうち、リスクの程度が高いアクセス先情報を前記記憶部へ登録させることを特徴とする請求項９に記載の情報処理システム。
【請求項１１】
前記判定手段は、前記中継制御の内容が受信許可である場合は、当該アクセス先情報はリスクの低いものと判定し、前記中継制御の内容が受信禁止である場合は、当該アクセス先情報はリスクの高いものであると判定することを特徴とする請求項８に従属する請求項９または１０に記載の情報処理システム。
【請求項１２】
前記判定手段は、前記アクセス先情報が、予め記憶されているドメインと類似する場合は、当該アクセス先情報がリスクのあるものであると判定することを特徴とする請求項９乃至１１のいずれか１項に記載の情報処理システム。
【請求項１３】
前記判定手段は、前記アクセス先情報が、メールマガジンで利用されるドメインである場合は、当該アクセス先情報はリスクのあるものであると判定することを特徴とする請求項９乃至１２のいずれか１項に記載の情報処理システム。
【請求項１４】
前記判定手段は、前記電子メールの差出人がフリーメールアドレスである場合は、当該電子メールに付与されたアクセス先情報はリスクのあるものであると判定することを特徴とする請求項９乃至１３のいずれか１項に記載の情報処理システム。
【請求項１５】
前記判定手段は、前記電子メールが海外から送信された電子メールである場合は、当該電子メールに付与されたアクセス先情報はリスクのあるものであると判定することを特徴とする請求項９乃至１４のいずれか１項に記載の情報処理システム。
【請求項１６】
前記判定手段は、前記電子メールが直近に受信した他の電子メールに付与されたアクセス先情報と同一である場合は、当該電子メールに付与されたアクセス先情報は、リスクのあるものであることを特徴とする請求項９乃至１５のいずれか１項に記載の情報処理システム。
【請求項１７】
電子メールの中継を制御するメール中継装置と、アクセス先情報へのアクセスを制御するアクセス中継装置と、が通信可能に接続された情報処理システムの制御方法であって、
前記電子メールからアクセス先情報を取得する取得ステップと、
前記取得ステップで取得したアクセス先情報、および当該アクセス先情報のリスクに関する情報を、当該アクセス先情報の登録指示を受け付ける受付部とともに表示する表示制御ステップと、
を含むことを特徴とする情報処理システムの制御方法。
【請求項１８】
コンピュータを、請求項１乃至１６のいずれか１項に記載の情報処理システムとして機能させるためのプログラム。
【請求項１９】
電子メールの中継を制御するメール中継装置と通信可能に接続された、アクセス先情報へのアクセスを制御するアクセス中継装置であって、
前記電子メールからアクセス先情報を取得する取得手段と、
前記取得手段で取得したアクセス先情報、および当該アクセス先情報のリスクに関する情報を、当該アクセス先情報の登録指示を受け付ける受付部とともに表示する表示制御手段と、
を備えることを特徴とするアクセス中継装置。
【請求項２０】
電子メールの中継を制御するメール中継装置と通信可能に接続された、アクセス先情報へのアクセスを制御するアクセス中継装置の制御方法であって、
前記電子メールからアクセス先情報を取得する取得ステップと、
前記取得ステップで取得したアクセス先情報、および当該アクセス先情報のリスクに関する情報を、当該アクセス先情報の登録指示を受け付ける受付部とともに表示する表示制御ステップと、
を含むことを特徴とするアクセス中継装置の制御方法。
【請求項２１】
コンピュータを、請求項１９に記載のアクセス中継装置として機能させるためのプログラム。